(57)【要約】【課題】  携帯電話の受信を人体と一体化させることが目的。そのため人体装着式のリングに携帯電話の受信機能・振動機能そして防水機能を持たせる。【解決手段】  中心部に携帯電話の受信感知機を有する装着式リングであって、リング内部には振動機能が内蔵され、受信を体感することが可能。また、外部は水への対策として防水機能を有し、耐久性に強い構造とする。【選択図】    図１
2006115439.tif 000002
【特許請求の範囲】
【請求項１】
人体（腕・指・首・耳等）装着式の携帯電話の受信専用機器であり、
装着方法としては腕であればブレスレット型・時計型、指であれば指輪型、首であればネックレス型等といったアクセサリー感覚の装着方法を特徴とした受信専用機器。
【請求項２】
前記機器内部には携帯電話の受信感知部品が内蔵されると共に、前記部品で感知した際、振動や光などが発生する部品が内蔵されていることを特徴とした受信専用機器。
なお、受信は携帯電話本体と連動する。すなわち携帯電話本体が親機にあたり、前記受信専用機器が子機にあたる。
【請求項３】
前記機器は防水式であり、外部からに衝撃に対し耐久性のある構造であることを特徴とする受信専用機器。
【発明の詳細な説明】
【技術分野】
【０００１】  本発明は、一般携帯電話に使用されている受信感知機に関する。
【技術背景】
【０００２】  現状、携帯電話の受信感知機は携帯本体に内蔵されている。そのため、人と携帯電話との距離が離れた場合やバイブ機能で感知できない場合、海などのレジャーで携帯電話を常時もてない場合など様々な理由により、受信を感知できないでいるケースが多い。
【０００３】  現在、携帯電話には電話以外の機能が多数（カメラ機能やゲーム機能等）内蔵されている。そのため以前に比べ大きさも大きくなり、取り扱いも慎重になっている。またデータ量も豊富になり、貴重なデータが入力されている。しかしながら防水機能を有している携帯電話は少ない。
【発明の開示】
【発明が解決しようとする課題】
【０００４】  上述の如く、現状の携帯電話の受信機能は人間と携帯電話との距離が近い時にのみ有効とされる。しかし、一日の中で人間と携帯電話との距離が離れるケースは少なくない。例えば調理場や雨の中屋外で働く人や、海やプールなどで働いたり遊んだりする人、また長時間の入浴時など、携帯電話をどうしても手元から離さなければならない状況はある。【０００５】  現在の連絡方法として携帯電話が重要な役割を占めている中、携帯電話の受信確認の遅れは仕事上や生活上において大きな損害になり兼ねない。
そのため、頻繁に携帯電話を使用する人は常にポケットに入れたり、手元に持っている必要がある。しかし携帯電話はポケットに入れておくとかさばるし、落としたり水没させたりと破損の原因となっているのが現状である。【０００６】  本発明は、このような点に鑑みて成させたものであり、その目的は、人体に装着可能な形式（例えばブレスレット型・時計型、指輪型、ネックレス型等といったアクセサリー感覚の装着方法）のリング中心部分に携帯電話の受信感知機を内蔵させ、その部分に防水機能を持たせることで、軽量でおしゃれに且つ常時携帯電話の受信を感知することができるようにすることである。
【課題を解決するための手段】
【０００７】  上述の目的を達成する本発明の装着式携帯電話受信リングは、人体（腕・指・首・耳等）装着式の携帯電話の受信専用機器であり、装着方法としては腕であればブレスレット型・時計型、指であれば指輪型、首であればネックレス型等といったアクセサリー感覚の装着方法を特徴とする。【０００８】  そして前記機器内部には携帯電話の受信感知部品が内蔵されると共に、前記部品で感知した際、振動や光などが発生する部品が内蔵されていることを特徴とした受信専用機器である。なお、受信は携帯電話本体と連動する。すなわち携帯電話本体が親機にあたり、前記受信専用機器が子機にあたる。また前記機器は防水式であり、外部からに衝撃に対し耐久性のある構造であることを特徴とする。
【発明の効果】
【０００９】  以上説明したように本発明によれば、人体装着式のリングに携帯電話の受信機能・振動機能そして防水機能を持たせることで、携帯電話の受信を人と一体化させることが可能となる。それにより常時（水を扱う状況でも問題ない）受信感知が可能となり連絡遅れの防止や早期対応に有効である。またリング自体、ブレスレット式や指輪式、ネックレス式などファッション性のクオリティーを上げていく事で女性や若者への普及にも有効である。
【発明を実施するための最良の形態】
【００１０】  以下、本発明の実施の形態を図面に基づき詳細に説明する。【００１１】  図１〜図２は本発明の第１の実施の形態に係り、図１はその外観図、図２は縦断面図、図３は上部外観図である。【００１２】  図１・２に示すように、本携帯電話受信リング１１は、腕や指などに装着可能な金属製・ゴム製のリング１２の内部に携帯電話の受信専用機器１３を内蔵したものである。【００１３】  リング１２は、腕時計やアクセサリーと同様の形態をとり、その材質や大きさ、デザインは多様性をもつ。装着部分１７に関しても装着方法は多様性をもつ。【００１４】  携帯電話の受信専用機器１３については、図２に示すように、主に液晶表示盤１４・受信感知機１５・振動部品１６などが内蔵されている。通常の携帯電話における受信感知が認識できる最低限の部分が内蔵されていることを意味する。これにより小型化・軽量化をはかる。
なお、液晶表示盤については指に装着する指輪式の場合、より小型化にするため内蔵しないケースもある。【００１５】  液晶表示盤１４は、着信時に発光し着信者名の表示ができるものとする。腕や指への装着式の場合、着信時以外は時刻表示の機能を持たせる。それにより通常は時計として活用する。【００１６】  受信感知機１５は、本体の携帯電話と連動する仕組みをとる。すなわち本体の携帯電話を親機とした場合、本受信リング１１は子機にあたる。同じ電話番号の受信で携帯電話本体と受信リング１１が同時に反応する。これにより、本体の携帯電話からいくら離れた場所にいても、受信圏内であれば本受信リング１１で受信が可能である。なお、通話機能は内蔵されていないものとする。【００１７】  振動部品１６は、携帯電話本体に使用されているものと同様のものを使用。受信感知後に振動を停止させる場合、図２に示した振動停止ボタン１８を押す。【００１８】  本受信リング１１は、様々な環境下において使用が可能であることを目的としているため受信専用機器１３の表面部分１９は防水対応で外部からの衝撃にも耐久性のある構造とする。
【産業上の利用可能性】
【００１９】  本発明は、携帯電話関連の製品とアクセサリー製品を製造、販売する産業分野で利用することができる。
【図面の簡単な説明】
【００２０】
【図１】  本発明の第１の実施の形態に係わる装着式携帯電話受信リングの外観図である。
【図２】  図１の装着式携帯電話受信リングの縦断面図である。
【図３】  図１の装着式携帯電話受信リングの上部からの外観図である。
【符号の説明】
【００２１】  １１  携帯電話受信リング
１２  リング
１３  携帯電話の受信専用機器
１４  液晶表示盤
１５  受信感知機
１６  振動部品
１８  振動停止ボタン
【図１】
2006115439.tif 000003
【図２】
2006115439.tif 000004
【図３】
2006115439.tif 000005